(57)【要約】 【課題】結露水及び雨水を容易に排水出来る潜熱回収型給湯装置を提供する。【解決手段】バーナ２を配置した燃焼室３と、該燃焼室３の上方に位置し内部に燃焼ガスが通過する熱交換パイプ５を配置した缶体部１と、該缶体部１の上方に消音部８と副熱交換部９とを設けたもので、前記消音部８と副熱交換部９とを横方向に並列に配置し、燃焼ガスは缶体部１から消音部８を経て副熱交換部９を通り、消音部１上方の排気筒１１から排気するもので、前記副熱交換部９の上部の流出口１０から前記排気筒１１までの間は、副熱交換部９と消音部８の上方を通過する連通路２１で連通され、この連通路２１は排気筒１１側から流出口１０に向かって下り傾斜させて設けたものである。【選択図】図２
2014142083.tif 000002
【特許請求の範囲】
【請求項１】
バーナを配置した燃焼室と、該燃焼室の上方に位置し内部に燃焼ガスが通過する熱交換パイプを配置した缶体部と、該缶体部の上方に消音部と副熱交換部とを設けたものに於いて、前記消音部と副熱交換部とを横方向に並列に配置し、燃焼ガスは缶体部から消音部を経て副熱交換部を通り、消音部上方の排気筒から排気するもので、前記副熱交換部の上部の流出口から前記排気筒までの間は、副熱交換部と消音部の上方を通過する連通路で連通され、この連通路は排気筒側から流出口に向かって下り傾斜させて設けた事を特徴とする潜熱回収型給湯装置。
【発明の詳細な説明】
【技術分野】
【０００１】
この発明は、燃焼ガスの潜熱を回収して効率の向上を図った潜熱回収型給湯装置に関するものである。
【背景技術】
【０００２】
従来からこの種のものに於いては、例えば水道水の水圧をそのまま利用して給湯する直圧式の給湯装置では、バーナユニットの上方に主熱交換部を設け、その主熱交換部の下流、つまり上部に燃焼ガスの潜熱を回収する副熱交換部と、燃焼ガスが通流する排気流路を設け、副熱交換部上流側の排気流路に消音部を設けたものがある。（特許文献１参照）
【先行技術文献】
【特許文献】
【０００３】
【特許文献１】特開２００８−２７００号公報
【発明の概要】
【発明が解決しようとする課題】
【０００４】
ところでこの従来のものでは、直圧式のため貯湯部が必要なく、機器本体内に主熱交換部と、副熱交換部と、排気流路を設け、副熱交換部上流側の排気流路に消音部を設けても機器本体がさほど大きくならなかったが、貯湯式の給湯装置では、機器本体内に貯湯部があるため、機器本体内に主熱交換部でもある貯湯部のほかに、副熱交換部と排気流路を設け、更に副熱交換部上流側の排気流路に消音部を設けると、機器本体が大きくなってしまうという問題及び、燃焼音が直接外に漏れてうるさくなる騒音の問題や、主熱交換部から直ぐに副熱交換部へと燃焼ガスが流通するので、燃焼ガスの温度が高く排気温度も下がらないという問題を有するものであった。
【課題を解決するための手段】
【０００５】
この発明はこの点に着目し上記課題を解決する為、特にその構成を、バーナを配置した燃焼室と、該燃焼室の上方に位置し内部に燃焼ガスが通過する熱交換パイプを配置した缶体部と、該缶体部の上方に消音部と副熱交換部とを設けたものに於いて、前記消音部と副熱交換部とを横方向に並列に配置し、燃焼ガスは缶体部から消音部を経て副熱交換部を通り、消音部上方の排気筒から排気するもので、前記副熱交換部の上部の流出口から前記排気筒までの間は、副熱交換部と消音部の上方を通過する連通路で連通され、この連通路は排気筒側から流出口に向かって下り傾斜させて設けたものである。
【発明の効果】
【０００６】
以上のようにこの発明によれば、缶体部の上方に消音部と副熱交換部とを横方向に並列に配置して設けたので、貯湯式の給湯装置に副熱交換部を設けても、給湯装置の寸法、特に高さを低くすることが出来るものであり、又燃焼ガスは缶体部の流通後に消音部を経てから副熱交換部で潜熱回収の熱交換が行われるので、この副熱交換部に流入する燃焼ガスの温度及び燃焼音も低く抑えられることとなり、更に副熱交換部から排気筒までの間には、副熱交換部と消音部の上方を覆い、しかも副熱交換部の流出口に向かって下り傾斜した連通路が設けられているので、排気温度は更に低下すると共に、燃焼音も更に抑えられて、良好な排気と騒音の防止が行われるものである。
【図面の簡単な説明】
【０００７】
【図１】この発明の一実施形態を示す潜熱回収型給湯装置の概略図。
【図２】同要部の説明図。
【発明を実施するための形態】
【０００８】
次に、この発明に係る潜熱回収型給湯装置の一実施形態を図面に基づいて説明する。
１は主熱交換器であり全体を筒状に形成した潜熱回収型給湯装置の缶体部、２は缶体部１の下部側方に設けた石油燃料を用いるバーナ、３は燃焼を行う燃焼室であり、該燃焼室３は缶体部１の下部に配置し、燃焼室３の側部にバーナ２を配置して、バーナ２の端部を燃焼室３内にのぞませている。
【０００９】
前記缶体部１は内部に給水管４より水道水が貯水され、又缶体部１内に多数の煙道を構成する熱交換パイプ５が複数配置され、燃焼室３での燃焼ガスが熱交換パイプ５を通過する際、熱交換パイプ５内の高温燃焼ガスと缶体部１内の貯水との間で熱交換されて缶体部１内の水が高温水に加熱され、缶体部１内に高温水が貯湯されるものである。
そして缶体部１内に貯湯された高温水は出湯管６により出湯されて給湯するものである。
【００１０】
７は消音副熱交換部で、缶体部１上部に配置され、消音部８と副熱交換部９を横方向に並列に配置して一体に構成されており、排気路に対して上流側に消音部８を配置し、該消音部８の下流側に副熱交換部９が配置され、缶体部１内の熱交換パイプ５内を通過した燃焼ガスは、消音部８を通過して消音された後に副熱交換部９を通過することにより、燃焼ガスの潜熱と顕熱の大部分を吸熱され、副熱交換部９の一側寄り上部の流出口１０から消音部８の一側寄りに備えられた排気筒１１を介して屋外へ排出されるものてある。
【００１１】
前記消音部８は、ロックウールやグラスウール等の消音材１２を、多数の穴を設けたパンチングガイド板１３で内周壁に貼り付けたものである。
【００１２】
前記副熱交換部９は、該副熱交換部９内を蛇行して設けられ、副熱交換部９内の前部に入水口１４を設け、副熱交換部９内の後部に出水口１５を設けた二次熱交パイプ１６と、該二次熱交パイプ１６を収納し底部には二次熱交パイプ１６から落下する結露水を中和剤が内蔵された中和器１７に供給する排水管１８が接続された熱交ケース１９とで構成されており、又消音部８と熱交ケース１９とは、消音部８内に差し込まれ先端を上方に向かって斜めカットされた連通ダクト２０を介して連通されており、缶体部１の上方に消音部８と副熱交換部９とを横方向に並列に配置して設けたので、貯湯式の給湯装置に副熱交換部９を設けても、給湯装置の寸法、特に高さを低くすることが出来るものであり、又燃焼ガスは缶体部１の流通後に消音部８を経てから副熱交換部９で潜熱回収の熱交換が行われるので、この副熱交換部９に流入する燃焼ガスの温度及び燃焼音も低く抑えられることとなる。
【００１３】
２１は前記副熱交換部９の上部の流出口１０から排気筒１１までの間を連通し、副熱交換部９と消音部８の上方を扁平箱状の流路で覆うようにした連通路で、この連通路２１は排気筒１１側から流出口１０に向かって下り傾斜させて設けられており、排気筒１１内に吹き込む雨水や連通路２１内で発生する結露水を副熱交換部９に案内して確実に中和器１７に集水したり、更に副熱交換部９から排気筒１１までの間には、副熱交換部９と消音部８の上方を覆い、しかも副熱交換部９の流出口１０に向かって下り傾斜した連通路２１が設けられているので、排気温度は更に低下すると共に、燃焼音も更に抑えられて、良好な排気と騒音の防止が行われるものである。
【００１４】
次にこの潜熱回収型給湯装置の作動を説明する。
給湯蛇口（図示せず）を開くと、出湯管６により缶体部１内の高温水が出湯されて給湯運転が開始される。
それと同時に給水管４から二次熱交パイプ１６の入水口１４に水道水が流入し、二次熱交パイプ１６内を通過して、二次熱交パイプ１６の出水口１５から給水管４を通って缶体部１内に流入するものである。
【００１５】
そして缶体部１内の温水の温度が徐々に低下し、これを温度センサー（図示せず）が検出して、燃焼室３でバーナ２にて燃料を燃焼させ、その燃焼ガスが燃焼室３から缶体部１内の熱交換パイプ５を通過し、その際、熱交換パイプ５内の高温の燃焼ガスと缶体部１内の貯水との間で熱交換されて缶体部１内の水を加熱するものである。
【００１６】
熱交換パイプ５内を通過して缶体部１で顕熱を吸熱された燃焼ガスは、熱交換パイプ５から消音部８に流入する。
消音部８に流入した燃焼ガスは、まだ高温で音速が大きく、同一周波数でも波長が短いので、消音部８を副熱交換部９の上流側に配置することにより、小容積の消音部８でも低周波を効果的に消音できるものである。
また、消音部８を副熱交換部９の上流側に配置することで、まだ燃焼ガスが結露水を生じるほど温度が低下しておらず、結露水による消音材１１の腐食を防止できるものである。
【００１７】
消音部８を通過した燃焼ガスは、連通ダクト２０を通り副熱交換部９の熱交ケース１９内に流入する。
熱交ケース１９内に流入した燃焼ガスは、熱交ケース１９内の二次熱交パイプ１６中を流れる水道水と熱交換し、缶体部１内に流入する水道水を加熱し、連通路２１を通り排気筒１１から屋外に排気されるものである。
【００１８】
ここで、二次熱交パイプ１６で熱交換後の燃焼ガスは低温になり、連通路２１で結露水が発生したり、排気筒１１から雨水が浸入したりするが、連通路２１は熱交ケース１９の流出口１０に向かって下り傾斜しているので、発生する結露水や雨水をスムーズに熱交ケース１９を介して中和器１７に集めることが出来るものである。
【００１９】
又副熱交換部９で熱交換後の排気路に消音部８を配置すると、強酸性の結露水で消音部８の消音材１２が腐食してしまう恐れがあるが、副熱交換部９の上流側の排気路に消音部８を配置することにより、結露水による消音材１２の腐食を防止できるものである。
【００２０】
以上のように、缶体部１の上部に消音部８と副熱交換部９とを横方向に一体に設けたことにより、給湯装置の寸法、特に高さを低くすることが出来、又排気路に対して上流に消音部８を配置し、下流に副熱交換部９を配置したことにより、上流で高温で音速が大きく、同一周波数でも波長が短い燃焼ガスの消音を小さい消音部８で効率よく行うことが出来、更に副熱交換部９から排気筒１１までの間には、副熱交換部９と消音部８の上方を覆い、しかも副熱交換部９の流出口１０に向かって下り傾斜した連通路２１が設けられているので、排気温度は更に低下すると共に、燃焼音も更に抑えられて、良好な排気と騒音の防止が行われるものであり、更に下流で消音されて高温の燃焼ガスから潜熱と顕熱の大部分が吸熱して給湯装置の熱効率を向上させ、又副熱交換部９で発生した結露水で消音部８の消音材１２を腐食させることなく中和器１７で中和させることができるものである。
【符号の説明】
【００２１】
１  缶体部
２  バーナ
３  燃焼室
５  熱交換パイプ
８  消音部
９  副熱交換部
１０  流出口
１１  排気筒
２１  連通路
【図１】
2014142083.tif 000003
【図２】
2014142083.tif 000004